(57)【要約】【課題】被固定部材を軸にガタ無しで、かつネジの緩みが発生しにくいように固定可能な部材固定構造を提供する。【解決手段】軸１の軸端に回転方向規制部として凹溝４を設け、被固定部材２の有底筒部２ａ内壁にも回転方向規制部として凸条５を設ける。被固定部材２の凸条５にテーパ面６を形成し、凸条５の側面を底壁に向かうに連れて窄める。軸１を被固定部材２の有底筒部２ａ内へ差し込み、凹溝４と凸条５を嵌合させ、さらに軸１を差し込み、ネジ３をネジ孔３ａ、１ａへとねじ込む。凸条５の幅が窄まってゆくに連れて軸１の凹溝４と被固定部材２の凸条５がしっかりと嵌合し、被固定部材２のテーパ面６が凹溝４の側面に食い込む。軸１がしっかりと被固定部材２に固定されて、回転方向のガタがほとんど無くなり、ネジ３も緩みにくくなる。【選択図】        図１
2004278572.tif 000002
【特許請求の範囲】
【請求項１】
軸と被固定部材を固定する構造において、上記軸と上記被固定部材の装着位置に、回転方向の動きを規制するための嵌合による回転規制部をそれぞれ設けるとともに、上記軸または上記被固定部材の少なくともいずれか一方に、上記軸の軸線方向に沿うテーパ部を、上記軸と上記被固定部材を深く嵌合させるに連れて窄まるように設けてなることを特徴とする部材固定構造。
【請求項２】
請求項１の部材固定構造において、上記テーパ部を、上記被固定部材側の回転規制部に設けてなることを特徴とする部材固定構造。
【請求項３】
請求項１の部材固定構造において、上記被固定部材に型成型品を用い、上記テーパ部に、該被固定部材側の型抜きテーパを用いてなることを特徴とする部材固定構造。
【請求項４】
請求項１ないし３のいずれかの部材固定構造において、上記軸の上記被固定部材への嵌合方向先端に、上記被固定部材への固定用のネジ穴を、上記軸の軸心からずらして設けてなることを特徴とする部材固定構造。
【発明の詳細な説明】
【０００１】
【発明の属する技術分野】
本発明は、急激な回転加速度変化の加わる軸に被固定部材を固定する構造、例えば複写機等の画像形成装置が有する感光体軸にフライホイールを固定する場合や、リボルバ方式のカラー複写機が有するリボルバユニットの固定に用い得る構造に関する。
【０００２】
【従来の技術】
従来のこの種の固定を行う場合においては、回転方向での軸と被固定部材の間のガタを無くすために、部品精度を高めたり、被固定部材を軸に対して垂直にネジ止めする構造を採用したりしていた。また被固定部材を軸と平行にスラスト止めする構造も実施されていた（例えば特許文献１参照）。
【０００３】
【特許文献１】
特開２０００−１７０７３５号公報
【０００４】
【発明が解決しようとする課題】
しかしながら、上述のようなネジ止めやスラスト止めでは、軸に急激な回転加速度変化が生じた場合にどうしてもネジの緩みが発生していた。
【０００５】
本発明は上記従来の問題点にかんがみてなしたもので、被固定部材を軸にガタ無しで、かつネジの緩みが発生しにくいように固定可能とする。
【０００６】
【課題を解決するための手段】
本発明の請求項１に係る部材固定構造は、上記目的を達成するために、軸と被固定部材を固定する構造において、上記軸と上記被固定部材の装着位置に、回転方向の動きを規制するための嵌合による回転規制部をそれぞれ設けるとともに、上記軸または上記被固定部材の少なくともいずれか一方に、上記軸の軸線方向に沿うテーパ部を、上記軸と上記被固定部材を深く嵌合させるに連れて窄まるように設けてなることを特徴とする。
【０００７】
同請求項２に係るものは、上記目的を達成するために、請求項１の部材固定構造において、上記テーパ部を、上記被固定部材側の回転規制部に設けてなることを特徴とする。
【０００８】
同請求項３に係るものは、上記目的を達成するために、請求項１の部材固定構造において、上記被固定部材に型成型品を用い、上記テーパ部に、該被固定部材側の型抜きテーパを用いてなることを特徴とする。
【０００９】
同請求項４に係るものは、上記目的を達成するために、請求項１ないし３のいずれかの部材固定構造において、上記軸の上記被固定部材への嵌合方向先端に、上記被固定部材への固定用のネジ穴を、上記軸の軸心からずらして設けてなることを特徴とする。
【００１０】
【発明の実施の形態】
以下、図面を参照しつつ、本発明に係る部材固定構造の実施の形態を説明する。
図１は、本発明に係る部材固定構造の第１実施形態を示す。図中１は軸、２は被固定部材、３は固定用のネジである。被固定部材２は、図示の例では小径円筒状の有底筒部２ａと、広径円盤状のフランジ形状部２ｂとからなるものとしてあるが、本発明で軸１への取り付け対象とするのはこの形状、構造のものに限定されない。
【００１１】
軸１の軸端、すなわち被固定部材２の有底筒部２ａ内へ嵌着する部位には、回転方向規制部として凹溝４が設けてあり、被固定部材２の有底筒部２ａの内壁には回転方向規制部として凸条５が設けてある。また被固定部材２の有底筒部２ａの底壁にはネジ３をねじ込むためのネジ孔３ａが設けてあり、軸１の先端面中央にはネジ孔３ａを貫通してきたネジ３をねじ入れ得るネジ孔１ａが設けてある。
【００１２】
軸１の凹溝４と被固定部材２の凸条５の形状、寸法関係は、凹溝４の幅のほうが凸条５より広く形成してあり、軸１の先端側から被固定部材２の有底筒部２ａ内へ挿入してゆき、軸１の凹溝４に被固定部材２の凸条５を嵌合させて装着するが、固定の際に被固定部材２と軸１の間にガタ付きを生じさせないため、被固定部材２の凸条５にはテーパ面６が形成してある。すなわち被固定部材２の凸条５は、軸１の軸線方向に沿う側面を、ネジ孔３ａが設けてある底壁に向かうに連れて窄まる形状としてある。
【００１３】
次に本実施形態の部材固定操作を説明する。
まず軸１の先端側から被固定部材２の有底筒部２ａ内へ浅く差し込み、軸１と被固定部材２の両方または一方を回転させ、軸１の凹溝４と被固定部材２の凸条５を嵌合させ、さらに深く軸１を差し込み、軸１の先端面が有底筒部２ａの底壁へ近付いたならば、有底筒部２ａの底壁外側からネジ３をネジ孔３ａへねじ込み、有底筒部２ａ内へ突出した螺旋３の先端を軸１のネジ孔１ａへねじ込む。すると、テーパ面６により凸条５の幅が窄まってゆくに連れて軸１の凹溝４と被固定部材２の凸条５がしっかりと嵌合してゆき、ネジ３を締め込みきったところで、被固定部材２のテーパ面６が凹溝４の側面に食い込むような状態となり、軸１はこれによってしっかりと被固定部材２に固定される。そして、回転方向のガタがほとんど無くなるので、ネジ３に緩みが発生しにくくなる。
【００１４】
図２は、本発明に係る部材固定構造の第２実施形態を示す。本実施形態の部材固定構造は、被固定部材２の有底筒部２ａの底壁に設けるネジ孔３ａと、軸１の先端面に設けるネジ孔１ａを、それぞれ中心位置からずらして設けてある。
【００１５】
本実施形態の部材固定操作は第１実施形態と同様であるが、ネジ３の締め込み位置が中央からずれて偏心した位置なので、万一ネジ３に緩み発生した場合でも、軸１の中心とネジ孔１ａ、３ａの中心がずれていることで、軸１の加速度変化によるネジ３の緩みが促進されることを防止できる。
【００１６】
図３は、本発明に係る部材固定構造の第３実施形態を示す。本実施形態の部材固定構造は、被固定部材２をダイキャストあるいはモールドにて形成した型成形品とし、先の実施形態では回転規制部である被固定部材２の凸条５に設けていたテーパ部を、型抜きテーパで代用している。図中６ａが被固定部材２のテーパ部、７が軸１の型抜きテーパ逃げ部である。
【００１７】
本実施形態の部材固定操作も第１実施形態とほぼ同様であるが、最後にネジ３をネジ孔３ａからネジ孔１ａへねじ込むと、被固定部材２側のテーパ部６ａと軸１側の型抜きテーパ逃げ部７がしっかりと食い込んだ状態になり、軸１はこれによってしっかりと被固定部材２に固定される。そして、回転方向のガタがほとんど無くなるので、ネジ３に緩みが発生しにくくなる。
【００１８】
なお本実施形態でも、ネジ３の締め込み位置を第２実施形態のように偏心させて構成してもよい。
【００１９】
【発明の効果】
請求項１に係る部材固定構造は、以上説明してきたように、被固定部材側の回転規制部と軸側の回転規制部がテーパ部によってしっかりと嵌まり合い、回転方向のガタを無くしかつ簡単に被固定部材を軸に固定し得る。そして、回転方向のガタがほとんど無くなるので、ネジを締め付けに用いても、ネジの緩みが発生しにくくなる。
【００２０】
請求項２に係る部材固定構造は、以上説明してきたように、被固定部材側の回転規制部のテーパ部が軸側の回転規制部にしっかりと食い込んで嵌まり合い、回転方向のガタを無くしかつ簡単に被固定部材を軸に固定し得る。また請求項１に係る部材固定構造と同様に、回転方向のガタがほとんど無くなるので、ネジを締め付けに用いても、ネジの緩みが発生しにくくなる。
【００２１】
請求項３に係る部材固定構造は、以上説明してきたように、被固定部材に型成型品を用い、テーパ部として被固定部材側の型抜きテーパを用いていることで、被固定部材に特別な加工を施さずにテーパ部を形成でき、請求項１に係る部材固定構造と同様の効果を奏する。
【００２２】
請求項４に係る部材固定構造においては、以上説明してきたように、軸と被固定部材を固定するネジ用のネジ穴を軸の軸心からずらして設けたことにより、上記各請求項との共通の効果に加え、ネジに緩み発生した場合でも、軸の中心とのずれにより、軸の加速度変化によってネジの緩みが促進されない。
【図面の簡単な説明】
【図１】本発明に係る部材固定構造の第１実施形態を示す斜視図である。
【図２】本発明に係る部材固定構造の第２実施形態を示す斜視図である。
【図３】本発明に係る部材固定構造の第３実施形態を示す斜視図である。
【符号の説明】
１  軸
１ａ  ネジ孔
２  被固定部材
２ａ  被固定部材の有底筒部
２ｂ  同フランジ形状部
３  固定用のネジ
３ａ  ネジ孔
４  凹溝（回転方向規制部）
５  凸条（回転方向規制部）
６  テーパ面
６ａ  テーパ部
７  軸の型抜きテーパ逃げ部
【図１】
2004278572.tif 000003
【図２】
2004278572.tif 000004
【図３】
2004278572.tif 000005